(57)【要約】【課題】所望の情報を閲覧できる機会を逸してしまう可能性を低減しつつ、有害な情報の閲覧を回避する。【解決手段】表示部と、表示部にて表示可能なコンテンツを示すコンテンツデータを外部から受信する通信部と、通信部にて受信されたコンテンツデータの中から、予め決められたキーワードを検索し、検索されたキーワードの数が予め決められた数よりも少ない場合、当該コンテンツデータが示すコンテンツを表示部に表示させる制御部とを有する表示装置。【選択図】図１
2012230487.tif 000002
【特許請求の範囲】
【請求項１】
表示部と、
前記表示部にて表示可能なコンテンツを示すコンテンツデータを外部から受信する通信部と、
前記通信部にて受信されたコンテンツデータの中から、予め決められたキーワードを検索し、検索された前記キーワードの数が予め決められた数よりも少ない場合、当該コンテンツデータが示すコンテンツを前記表示部に表示させる制御部と、を有する表示装置。
【請求項２】
請求項１に記載の表示装置において、
前記通信部は、前記受信したコンテンツデータが示すコンテンツに関連付けられたコンテンツを示す関連コンテンツデータをさらに外部から受信し、
前記制御部は、前記通信部にて受信されたコンテンツデータと関連コンテンツデータとの中から、前記キーワードを検索し、検索された前記キーワードの数が前記予め決められた数よりも少ない場合、当該コンテンツデータが示すコンテンツを前記表示部に表示させる表示装置。
【請求項３】
表示装置における表示制限方法であって、
当該表示装置にて表示可能なコンテンツを示すコンテンツデータを外部から受信する処理と、
前記受信したコンテンツデータの中から、予め決められたキーワードを検索し、検索された前記キーワードの数が予め決められた数よりも少ない場合、当該コンテンツデータが示すコンテンツを表示する表示処理と、を有する表示制限方法。
【請求項４】
請求項３に記載の表示制限方法において、
前記受信したコンテンツデータが示すコンテンツに関連付けられたコンテンツを示す関連コンテンツデータを外部から受信する処理をさらに有し、
前記表示処理は、前記受信したコンテンツデータと関連コンテンツデータとの中から、前記キーワードを検索し、検索された前記キーワードの数が前記予め決められた数よりも少ない場合、当該コンテンツデータが示すコンテンツを表示する処理である表示制限方法。
【請求項５】
表示装置に、
当該表示装置にて表示可能なコンテンツを示すコンテンツデータを外部から受信する機能と、
前記受信したコンテンツデータの中から、予め決められたキーワードを検索し、検索された前記キーワードの数が予め決められた数よりも少ない場合、当該コンテンツデータが示すコンテンツを表示する表示機能と、を実現させるためのプログラム。
【請求項６】
請求項５に記載のプログラムにおいて、
前記表示装置に、前記受信したコンテンツデータが示すコンテンツに関連付けられたコンテンツを示す関連コンテンツデータを外部から受信する機能をさらに実現させ、
前記表示機能は、前記受信したコンテンツデータと関連コンテンツデータとの中から、前記キーワードを検索し、検索された前記キーワードの数が前記予め決められた数よりも少ない場合、当該コンテンツデータが示すコンテンツを表示する機能であるプログラム。
【発明の詳細な説明】
【技術分野】
【０００１】
本発明は、コンテンツを表示する表示装置、表示制限方法およびプログラムに関する。
【背景技術】
【０００２】
近年、若年層から高年層まで多くの人が手軽に携帯電話機等の携帯端末を利用するようになっている。そのため、携帯端末のユーザーが、携帯端末を用いて様々なＷｅｂサイトにアクセスすることも一般的になっている。
【０００３】
ここで、Ｗｅｂサイトを構成するＷｅｂページの中には有害な情報を含むものも数多くあり、有害な情報を含むＷｅｂページを閲覧したことに起因する事件等も発生している。
【０００４】
そこで、有害な情報を含むＷｅｂページを閲覧できないようにするための技術が求められ、これを可能にする技術が例えば特許文献１に開示されている。
【０００５】
特許文献１に開示されている技術において携帯端末は、有害とされるキーワードを記憶している。そして、携帯端末は、ユーザーが閲覧しようとしているＷｅｂページのＵＲＬ（Ｕｎｉｆｏｒｍ  Ｒｅｓｏｕｒｃｅ  Ｌｏｃａｔｏｒ）、表題、本文に含まれる単語に有害とされるキーワードが含まれている場合、そのＷｅｂページを表示せずに、そのＷｅｂページへのアクセスが不可である旨を表示する。
【先行技術文献】
【特許文献】
【０００６】
【特許文献１】特開２００７−２９３３９７号公報
【発明の概要】
【発明が解決しようとする課題】
【０００７】
上述した特許文献１に開示されている技術を用いれば、有害な情報を含むＷｅｂページを閲覧できないようにすることが可能となる。
【０００８】
ここで、特許文献１に開示されている技術を用いた場合、所定のキーワードを含むＷｅｂページが一律的に閲覧できなくなる。
【０００９】
Ｗｅｂページには、主となる情報とは関係のない広告等も含まれており、例えばその広告等の中に所定のキーワードが含まれている可能性もある。
【００１０】
このようなＷｅｂページまで閲覧できないようにしてしまうと、所望の情報を閲覧できる機会を逸してしまう可能性が高くなるという問題点がある。
【００１１】
本発明は、所望の情報を閲覧できる機会を逸してしまう可能性を低減しつつ、有害な情報の閲覧を回避することを可能にする表示装置、表示制限方法およびプログラムを提供することを目的とする。
【課題を解決するための手段】
【００１２】
上記目的を達成するために本発明の表示装置は、
表示部と、
前記表示部にて表示可能なコンテンツを示すコンテンツデータを外部から受信する通信部と、
前記通信部にて受信されたコンテンツデータの中から、予め決められたキーワードを検索し、検索された前記キーワードの数が予め決められた数よりも少ない場合、当該コンテンツデータが示すコンテンツを前記表示部に表示させる制御部と、を有する。
【００１３】
また、上記目的を達成するために本発明の表示制限方法は、表示装置における表示制限方法であって、
当該表示装置にて表示可能なコンテンツを示すコンテンツデータを外部から受信する処理と、
前記受信したコンテンツデータの中から、予め決められたキーワードを検索し、検索された前記キーワードの数が予め決められた数よりも少ない場合、当該コンテンツデータが示すコンテンツを表示する表示処理と、を有する。
【００１４】
また、上記目的を達成するために本発明のプログラムは、表示装置に、
当該表示装置にて表示可能なコンテンツを示すコンテンツデータを外部から受信する機能と、
前記受信したコンテンツデータの中から、予め決められたキーワードを検索し、検索された前記キーワードの数が予め決められた数よりも少ない場合、当該コンテンツデータが示すコンテンツを表示する表示機能と、を実現させる。
【発明の効果】
【００１５】
本発明は以上説明したように構成されているので、所望の情報を閲覧できる機会を逸してしまう可能性を低減しつつ、有害な情報の閲覧を回避することが可能となる。
【図面の簡単な説明】
【００１６】
【図１】本発明の表示装置を適用した携帯端末の第１の実施形態の構成を示すブロック図である。
【図２】図１に示した携帯端末の動作の一例を説明するためのフローチャートである。
【図３】図１に示した表示部に表示されたＷｅｂページの一例を示す図である。
【図４】図１に示した携帯端末の動作の他の例を説明するためのフローチャートである。
【図５】本発明の表示装置を適用した携帯端末の第２の実施形態の構成を示すブロック図である。
【発明を実施するための形態】
【００１７】
以下に、本発明の実施の形態について図面を参照して説明する。
【００１８】
（第１の実施形態）
図１は、本発明の表示装置を適用した携帯端末の第１の実施形態の構成を示すブロック図である。
【００１９】
本実施形態の携帯端末１０は図１に示すように、制御部１１と、第１の記憶部１２と、第２の記憶部１３と、通信部１４と、入力部１５と、表示部１６とを備えている。
【００２０】
本実施形態においては、携帯端末１０のユーザーが、インターネット上のコンテンツであるＷｅｂページを携帯端末１０を用いて閲覧することを想定している。従って、携帯端末１０は、ユーザーからＵＲＬの入力を受け付け、受け付けたＵＲＬに対応するＷｅｂページを示すコンテンツデータであるＷｅｂページデータを受信することになる。なお、Ｗｅｂページデータは、例えばＨＴＭＬ（Ｈｙｐｅｒ  Ｔｅｘｔ  Ｍａｒｋｕｐ  Ｌａｎｇｕａｇｅ）で記述されている。
【００２１】
入力部１５は例えば、文字等を入力するためのキーボードや上下左右ボタン等を備えており、各種指示や選択等の入力をユーザーから受け付け、受け付けた指示を示す情報や選択された内容を示す情報を制御部１１へ出力する。なお、入力部１５は、表示部１６に積層されたタッチパネルを備え、表示部１６に表示されたアイコン等が押下されることで、各種指示や選択等の入力が受け付けられるものでもよい。入力部１５は、ユーザーからＵＲＬの入力を受け付ける。以降、ユーザーから入力を受け付けたＵＲＬのことを入力ＵＲＬという。そして、入力部１５は、入力ＵＲＬを示すＵＲＬ情報を制御部１１へ出力する。また、入力部１５は、ユーザーからキーワードの入力を受け付け、受け付けたキーワードを示すキーワード情報を制御部１１へ出力する。このキーワードは、入力ＵＲＬに対応するＷｅｂページを表示部１６に表示させるかどうかを決定するために用いられるものである。
【００２２】
表示部１６は、例えばＬＣＤ（Ｌｉｑｕｉｄ  Ｃｒｙｓｔａｌ  Ｄｉｓｐｌａｙ）を備えている。表示部１６は、制御部１１からの指示に応じ、Ｗｅｂページや所定の画面を表示する。
【００２３】
制御部１１は、入力部１５から出力されたキーワード情報を受け付ける。そして、制御部１１は、受け付けたキーワード情報を第１の記憶部１２に記憶させる。また、制御部１１は、入力部１５から出力されたＵＲＬ情報を受け付ける。そして、制御部１１は、受け付けたＵＲＬ情報が示すＵＲＬ、すなわち入力ＵＲＬに対応するＷｅｂページを示すＷｅｂページデータを取得するためのリクエストメッセージを生成する。そして、制御部１１は、生成したリクエストメッセージを通信部１４へ出力する。その後、制御部１１は、通信部１４から出力されたＷｅｂページデータを受け付ける。そして、制御部１１は、受け付けたＷｅｂページデータを第２の記憶部１３に記憶させる。また、制御部１１は、第２の記憶部１３に記憶されたＷｅｂページデータと、第１の記憶部１２に記憶されたキーワード情報とを取得する。そして、制御部１１は、取得したＷｅｂページデータの中から、取得したキーワード情報が示すキーワードを検索する。そして、検索されたキーワードの数が、予め決められた数である制限数以上である場合、制御部１１は、入力ＵＲＬに対応するＷｅｂページを表示できないことを示す表示不可画面を表示部１６に表示させる。そして、制御部１１は、第２の記憶部１３に記憶されたＷｅｂページデータを削除する。一方、検索されたキーワードの数が制限数よりも少ない場合、制御部１１は、第２の記憶部１３に記憶されたＷｅｂページデータが示すＷｅｂページを表示部１６に表示させる。
【００２４】
通信部１４は、制御部１１から出力されたリクエストメッセージを受け付ける。そして、通信部１４は、入力ＵＲＬに対応するＷｅｂページを示すＷｅｂページデータを記憶している外部装置であるサーバー（不図示）等へ向けて、受け付けたリクエストメッセージを送信する。その後、通信部１４は、送信したリクエストメッセージに応じ、上記のサーバー等から送信されてきたＷｅｂページデータを受信する。そして、通信部１４は、受信したＷｅｂページデータを制御部１１へ出力する。
【００２５】
第１の記憶部１２は、キーワード情報を記憶する。なお、第１の記憶部１２は、複数のキーワード情報を記憶することが可能である。
【００２６】
第２の記憶部１３は、Ｗｅｂページデータを記憶する。なお、第２の記憶部１３は、複数のＷｅｂページデータを記憶することが可能である。
【００２７】
以下に、上記のように構成された携帯端末１０の動作について説明する。なお、第１の記憶部１２は、キーワード情報を予め記憶しているものとする。
【００２８】
図２は、図１に示した携帯端末１０の動作の一例を説明するためのフローチャートである。
【００２９】
まず、入力部１５は、ユーザーからＵＲＬの入力を受け付ける（ステップＳ１）。
【００３０】
ユーザーからＵＲＬの入力を受け付けた入力部１５は、入力ＵＲＬを示すＵＲＬ情報を制御部１１へ出力する。
【００３１】
入力部１５から出力されたＵＲＬ情報を受け付けた制御部１１は、入力ＵＲＬに対応するＷｅｂページを示すＷｅｂページデータを取得するためのリクエストメッセージを生成する。
【００３２】
そして、制御部１１は、生成したリクエストメッセージを通信部１４へ出力する。
【００３３】
制御部１１から出力されたリクエストメッセージを受け付けた通信部１４は、入力ＵＲＬに対応するＷｅｂページを示すＷｅｂページデータを記憶しているサーバー等へ向けて、受け付けたリクエストメッセージを送信する。
【００３４】
次に、通信部１４は、送信したリクエストメッセージに応じ、サーバー等から送信されてきたＷｅｂページデータを受信する。すなわち、通信部１４は、入力ＵＲＬに対応するＷｅｂページを示すＷｅｂページデータを受信する（ステップＳ２）。
【００３５】
Ｗｅｂページデータを受信した通信部１４は、受信したＷｅｂページデータを制御部１１へ出力する。
【００３６】
通信部１４から出力されたＷｅｂページデータを受け付けた制御部１１は、受け付けたＷｅｂページデータ、すなわち、通信部１４が受信したＷｅｂページデータを第２の記憶部１３に記憶させる（ステップＳ３）。
【００３７】
次に、制御部１１は、第２の記憶部１３に記憶されたＷｅｂページデータと、第１の記憶部１２に記憶されたキーワード情報とを取得する。
【００３８】
次に、制御部１１は、取得したＷｅｂページデータの中から、取得したキーワード情報が示すキーワードを検索する（ステップＳ４）。
【００３９】
そして、制御部１１は、検索されたキーワードの数が制限数以上であるかどうかを確認する（ステップＳ５）。
【００４０】
ステップＳ５における確認の結果、検索されたキーワードの数が制限数以上である場合、制御部１１は、表示不可画面を表示部１６に表示させる（ステップＳ６）。
【００４１】
そして、制御部１１は、第２の記憶部１３に記憶されたＷｅｂページデータを削除する（ステップＳ７）。
【００４２】
一方、ステップＳ５における確認の結果、検索されたキーワードの数が制限数よりも少ない場合、制御部１１は、第２の記憶部１３に記憶されたＷｅｂページデータが示すＷｅｂページを表示部１６に表示させる。つまり、制御部１１は、入力ＵＲＬに対応するＷｅｂページを表示部１６に表示させる（ステップＳ８）。
【００４３】
このように本実施形態において携帯端末１０は、Ｗｅｂページデータを外部から受信する通信部１４を有する。また、携帯端末１０は、通信部１４にて受信されたＷｅｂページデータの中から、予め決められたキーワードを検索する制御部１１を有する。そして、制御部１１は、検索されたキーワードの数が予め決められた数よりも少ない場合、通信部１４にて受信されたＷｅｂページデータが示すＷｅｂページを表示部１６に表示させる。
【００４４】
これにより、所望の情報を閲覧できる機会を逸してしまう可能性を低減しつつ、有害な情報の閲覧を回避することが可能となる。
【００４５】
なお、本実施形態においては、既に検索されたキーワードと同じキーワードが検索された場合でも、キーワードが検索された数としてカウントすることを前提として説明したが、既に検索されたキーワードと同じキーワードが検索された場合には、キーワードが検索された数としてカウントしないようにしてもよい。
【００４６】
また、本実施形態においては、ユーザーが携帯端末１０を操作してキーワードを入力することで、キーワードが第１の記憶部１２に記憶される場合について説明した。これ以外にも例えば、有害なＷｅｂページに含まれると想定されるキーワードがパッケージされたものを外部からダウンロードして第１の記憶部１２に記憶させてもよい。また、パッケージされたキーワードを予め第１の記憶部１２に記憶させておくのではなく、外部装置に記憶させておき、リクエストメッセージを送信する際に、そのキーワードをダウンロードしてくるようにしてもよい。また、検索されたキーワードの数が制限数以上であったＷｅｂページデータに含まれる文字列のうち、出現回数の多い文字列を、キーワード情報として第１の記憶部１２や外部に記憶させるようにしてもよい。
【００４７】
また、本実施形態においては、検索されたキーワードの数が制限数以上となったＷｅｂページデータが示すＷｅｂページを表示させない場合について説明した。これ以外にも例えば、検索されたキーワードの数が制限数以上である場合、まず、その旨を示す画面を表示部１６に表示し、そのＷｅｂページを表示させるかどうかをユーザーに判断させるようにしてもよい。
【００４８】
また、本実施形態においては、Ｗｅｂページの表示の可否を１つの制限数を用いて判断する場合について説明したが、相互に異なる２つの制限数（第１および第２の制限数、第１の制限数＜第２の制限数）を設定しておいてもよい。この場合、検索されたキーワードの数が、第１の制限数以下であればＷｅｂページを表示し、第１の制限数以上で第２の制限数よりも少なければその旨を示す警告等を表示した上でＷｅｂページを表示し、第２の制限数以上であれば、Ｗｅｂページを表示しないというような方法を実現することができる。また、複数のキーワードのそれぞれに制限数を設定しておき、複数のキーワードのそれぞれが検索された数に応じてＷｅｂページの表示の可否を決定するようにしてもよい。
【００４９】
また、本実施形態においては、検索されたキーワードの数が制限数以上であった場合、Ｗｅｂページ全体を表示させないことを前提として説明したが、検索されたキーワードの数が制限数以上であった場合、そのＷｅｂページに含まれる例えば画像だけを表示させないようにしてもよい。
【００５０】
ここまで、入力ＵＲＬに対応するＷｅｂページが示すＷｅｂページデータの中から検索されたキーワードの数に応じ、そのＷｅｂページを表示するかどうかを決定する場合について説明した。
【００５１】
ここで、携帯端末１０のユーザーは、入力ＵＲＬに対応するＷｅｂページ上に表示されたリンクを選択することで、入力ＵＲＬに対応するＷｅｂページと関連付けられた関連コンテンツである関連Ｗｅｂページを閲覧することができる。なお、リンクは、ＷｅｂページデータにおいてＵＲＬと対応付けて記述されている。
【００５２】
図３は、図１に示した表示部１６に表示されたＷｅｂページの一例を示す図である。
【００５３】
ここでは、図３（ａ）に示すＷｅｂページ５０が、入力ＵＲＬに対応するＷｅｂページであるものとする。
【００５４】
図３（ａ）を参照すると、Ｗｅｂページ５０上には、リンク５１〜５３が表示されている。携帯端末１０のユーザーがリンク５１〜５３のいずれかを入力部１５を介して選択すると、Ｗｅｂページ５０に関連付けられた関連Ｗｅｂページが表示部１６に表示される。
【００５５】
図３（ｂ）では、図３（ａ）のＷｅｂページ５０上に表示されたリンク５１が選択された場合に表示される関連Ｗｅｂページを、関連Ｗｅｂページ６０として示している。なお、図３においてＷｅｂページ５０および関連Ｗｅｂページ６０上に表示された文字は一例である。
【００５６】
また、携帯端末１０のユーザーは、入力ＵＲＬに対応するＷｅｂページに関連付けられた関連Ｗｅｂページ上に表示されたリンクを選択することで、入力ＵＲＬに対応するＷｅｂページと間接的に関連付けられた関連コンテンツである関連Ｗｅｂページを閲覧することもできる。このように、携帯端末１０のユーザーは、Ｗｅｂページ上に表示されたリンクを選択することで複数のＷｅｂページを辿っていくことができる。なお、以降、入力ＵＲＬに対応するＷｅｂページ上のリンクを選択することで辿ることができるＷｅｂページを示すデータのことを関連Ｗｅｂページデータという。
【００５７】
次に、入力ＵＲＬに対応するＷｅｂページを示すＷｅｂページデータの中から検索されたキーワードの数と、関連Ｗｅｂページデータの中から検索されたキーワードの数との合計に応じ、入力ＵＲＬに対応するＷｅｂページを表示するかどうかを決定する場合について説明する。
【００５８】
ここでは、制御部１１は、カウンタ（不図示）を備えているものとする。制御部１１は、上述したのと同様に、通信部１４から出力されたＷｅｂページデータを受け付ける。そして、制御部１１は、受け付けたＷｅｂページデータを第２の記憶部１３に記憶させる。このとき、制御部１１は、受け付けたＷｅｂページデータをリンク元Ｗｅｂページデータとして記憶させ、カウンタの値を１つインクリメントする。そして、制御部１１は、カウンタの値が予め決められた値以上かどうかを確認する。確認の結果、カウンタの値が予め決められた値よりも小さな場合、第２の記憶部１３に記憶されたリンク元Ｗｅｂページデータに含まれるＵＲＬを抽出する。そして、制御部１１は、抽出したＵＲＬに対応するＷｅｂページを示すＷｅｂページデータを取得するためのリクエストメッセージを生成し、生成したリクエストメッセージを通信部１４へ出力する。これにより、通信部１４にて関連Ｗｅｂページデータが受信されて第２の記憶部１３に記憶されることになる。一方、確認の結果、カウンタの値が予め決められた値以上である場合、制御部１１は、第２の記憶部１３に記憶されたＷｅｂページデータおよび関連Ｗｅｂページデータと、第１の記憶部１２に記憶されたキーワード情報とを取得する。そして、制御部１１は、取得したＷｅｂページデータと関連Ｗｅｂページデータとの中から、取得したキーワード情報が示すキーワードを検索する。以降の動作は、上述したのと同様である。なお、カウンタの値の初期値と、予め決められた値とは、少なくとも入力ＵＲＬに対応するＷｅｂページ上の表示されたリンクで関連付けられている関連Ｗｅｂページを示す関連Ｗｅｂページデータを取得できるように設定されているものとする。
【００５９】
第１の記憶部１２、第２の記憶部１３、通信部１４、入力部１５および表示部１６の構成は、上述したのと同様の構成なので、ここでは詳細な説明を省略する。
【００６０】
以下に、上記のように構成された携帯端末１０の動作について説明する。なお、第１の記憶部１２は、キーワード情報を予め記憶しているものとする。
【００６１】
図４は、図１に示した携帯端末の動作の他の例を説明するためのフローチャートである。
【００６２】
まず、入力部１５は、ユーザーからＵＲＬの入力を受け付ける（ステップＳ２１）。
【００６３】
ユーザーからＵＲＬの入力を受け付けた入力部１５は、入力ＵＲＬを示すＵＲＬ情報を制御部１１へ出力する。
【００６４】
入力部１５から出力されたＵＲＬ情報を受け付けた制御部１１は、入力ＵＲＬに対応するＷｅｂページを示すＷｅｂページデータを取得するためのリクエストメッセージを生成する。
【００６５】
そして、制御部１１は、生成したリクエストメッセージを通信部１４へ出力する。
【００６６】
制御部１１から出力されたリクエストメッセージを受け付けた通信部１４は、入力ＵＲＬに対応するＷｅｂページを示すＷｅｂページデータを記憶しているサーバー等へ向けて、受け付けたリクエストメッセージを送信する。
【００６７】
次に、通信部１４は、送信したリクエストメッセージに応じ、サーバー等から送信されてきたＷｅｂページデータを受信する。すなわち、通信部１４は、入力ＵＲＬに対応するＷｅｂページを示すＷｅｂページデータを受信する（ステップＳ２２）。
【００６８】
Ｗｅｂページデータを受信した通信部１４は、受信したＷｅｂページデータを制御部１１へ出力する。
【００６９】
通信部１４から出力されたＷｅｂページデータを受け付けた制御部１１は、受け付けたＷｅｂページデータ、すなわち、通信部１４が受信したＷｅｂページデータをリンク元Ｗｅｂページデータとして第２の記憶部１３に記憶させる（ステップＳ２３）。
【００７０】
次に、制御部１１は、カウンタの値を１つインクリメントする（ステップＳ２４）。
【００７１】
そして、制御部１１は、カウンタの値が予め決められた値以上であるかどうかを確認する（ステップＳ２５）。
【００７２】
ステップＳ５における確認の結果、カウンタの値が予め決められた値よりも小さな場合、制御部１１は、第２の記憶部１３にリンク元Ｗｅｂページデータとして記憶されたＷｅｂページデータに含まれるＵＲＬを抽出する（ステップＳ２６）。
【００７３】
次に、制御部１１は、抽出したＵＲＬに対応するＷｅｂページを示すＷｅｂページデータを取得するためのリクエストメッセージを生成する。
【００７４】
そして、制御部１１は、生成したリクエストメッセージを通信部１４へ出力する。
【００７５】
制御部１１から出力されたリクエストメッセージを受け付けた通信部１４は、制御部１１にて抽出されたＵＲＬに対応するＷｅｂページを示すＷｅｂページデータを記憶しているサーバー等へ向けて、受け付けたリクエストメッセージを送信する。
【００７６】
次に、通信部１４は、送信したリクエストメッセージに応じ、サーバー等から送信されてきたＷｅｂページデータを受信する。すなわち、通信部１４は、ステップＳ２６にて抽出されたＵＲＬに対応するＷｅｂページを示す関連Ｗｅｂページデータを受信する（ステップＳ２７）。
【００７７】
関連Ｗｅｂページデータを受信した通信部１４は、受信した関連Ｗｅｂページデータを制御部１１へ出力する。
【００７８】
通信部１４から出力された関連Ｗｅｂページデータを受け付けた制御部１１は、受け付けた関連Ｗｅｂページデータ、すなわち、通信部１４が受信した関連Ｗｅｂページデータをリンク元Ｗｅｂページデータとして第２の記憶部１３に記憶させる（ステップＳ２８）。そして、ステップＳ２４の動作へ遷移する。
【００７９】
一方、ステップＳ２５における確認の結果、カウンタの値が予め決められた値以上である場合、制御部１１は、第２の記憶部１３に記憶されたＷｅｂページデータおよび関連Ｗｅｂページデータと、第１の記憶部１２に記憶されたキーワード情報とを取得する。
【００８０】
次に、制御部１１は、取得したＷｅｂページデータと関連Ｗｅｂページデータとの中から、取得したキーワード情報が示すキーワードを検索する（ステップＳ２９）。
【００８１】
そして、制御部１１は、検索されたキーワードの数が制限数以上であるかどうかを確認する（ステップＳ３０）。
【００８２】
ステップＳ３０における確認の結果、検索されたキーワードの数が制限数以上である場合、制御部１１は、表示不可画面を表示部１６に表示させる（ステップＳ３１）。
【００８３】
そして、制御部１１は、第２の記憶部１３に記憶されたＷｅｂページデータおよび関連Ｗｅｂページデータを削除する（ステップＳ３２）。
【００８４】
一方、ステップＳ３０における確認の結果、検索されたキーワードの数が制限数よりも少ない場合、制御部１１は、第２の記憶部１３に最初に記憶させたＷｅｂページデータが示すＷｅｂページを表示部１６に表示させる。つまり、制御部１１は、入力ＵＲＬに対応するＷｅｂページを表示部１６に表示させる（ステップＳ３３）。
【００８５】
このように、通信部１４は、受信したＷｅｂページデータが示すＷｅｂページに関連付けられたＷｅｂページを示す関連Ｗｅｂページデータをさらに外部から受信する。そして、制御部１１は、通信部１４にて受信されたＷｅｂページデータと関連Ｗｅｂページデータとの中から、予め決められたキーワードを検索する。そして、制御部１１は、検索されたキーワードの数が予め決められた数よりも少ない場合、通信部１４にて受信されたＷｅｂページデータが示すＷｅｂページを表示する。
【００８６】
これにより、所望の情報を閲覧できる機会を逸してしまう可能性を低減しつつ、有害な情報の閲覧を回避することが可能になる。
【００８７】
また、有害な情報を含むＷｅｂページは、有害な情報を含む他のＷｅｂページと関連付けられていることが多い。そのため、関連Ｗｅｂページデータの中からもキーワードを検索することで、有害な情報の閲覧をより確実に回避することができる。
【００８８】
なお、ここでは、入力ＵＲＬに対応するＷｅｂページを示すＷｅｂページデータの中から検索されたキーワードの数と、関連Ｗｅｂページデータの中から検索されたキーワードの数との合計が制限数以上である場合、入力ＵＲＬに対応するＷｅｂページを表示しない場合について説明した。これ以外にも例えば、入力ＵＲＬに対応するＷｅｂページを示すＷｅｂページデータの中から検索されたキーワードの数と、関連Ｗｅｂページデータの中から検索されたキーワードの数とを別々にカウントするようにしてもよい。
【００８９】
この場合、例えば、入力ＵＲＬに対応するＷｅｂページを示すＷｅｂページデータの中から検索されたキーワードの数が制限数よりも少なく、関連Ｗｅｂページデータの中から検索されたキーワードの数が制限数以上であれば、入力ＵＲＬに対応するＷｅｂページを表示し、そのＷｅｂページ上で、制限数以上のキーワードが検索された関連Ｗｅｂページデータが示す関連Ｗｅｂページへのリンクを表示しないようにしてもよい。また、制限数以上のキーワードが検索された関連Ｗｅｂページデータが示す関連Ｗｅｂページへのリンクは表示するが、そのリンクが選択されても、その関連Ｗｅｂページを表示しないようにしてもよい。また、入力ＵＲＬに対応するＷｅｂページを示すＷｅｂページデータの中から検索されるキーワードの数の制限数と、関連Ｗｅｂページデータの中から検索されるキーワードの数の制限数とを相互に異なる数としてもよい。
【００９０】
（第２の実施形態）
図５は、本発明の表示装置を適用した携帯端末の第２の実施形態の構成を示すブロック図である。図５において、図１に示したものと同一の構成のものには同一の符号を付してある。
【００９１】
本実施形態において携帯端末２０は、Ｗｅｂページデータを外部から受信する通信部１４を有する。また、携帯端末１０は、通信部１４にて受信されたＷｅｂページデータの中から、予め決められたキーワードを検索する制御部１１を有する。そして、制御部１１は、検索されたキーワードの数が予め決められた数よりも少ない場合、通信部１４にて受信されたＷｅｂページデータが示すＷｅｂページを表示部１６に表示させる。
【００９２】
これにより、所望の情報を閲覧できる機会を逸してしまう可能性を低減しつつ、有害な情報の閲覧を回避することが可能となる。
【００９３】
なお、本発明においては、表示装置内の処理は上述の専用のハードウェアで実現されるもの以外に、その機能を実現するためのプログラムを表示装置にて読取可能な記録媒体に記録し、この記録媒体に記録されたプログラムを表示装置に読み込ませ、実行するものであっても良い。表示装置にて読取可能な記録媒体とは、フレキシブルディスク、光磁気ディスク、ＤＶＤ、ＣＤなどの移設可能な記録媒体の他、表示装置に内蔵されたＨＤＤなどを指す。
【符号の説明】
【００９４】
１０，２０    携帯端末
１１    制御部
１２    第１の記憶部
１３    第２の記憶部
１４    通信部
１５    入力部
１６    表示部
５０    Ｗｅｂページ
５１〜５３    リンク
６０    関連Ｗｅｂページ
【図１】
2012230487.tif 000003
【図２】
2012230487.tif 000004
【図３】
2012230487.tif 000005
【図４】
2012230487.tif 000006
【図５】
2012230487.tif 000007